(57)【要約】【課題】室内機のグループ設定が適正か否かをユーザに提示する。【解決手段】グループ情報取得部５５０は、複数の室内機をグループ設定して共通の制御を行う空調リモコンから、通信により複数の室内機それぞれのアドレスが格納されたグループ情報を取得する。コマンド送信部５５１は、複数の室内機それぞれに対して予め定めた制御コマンドを送信する。波形特徴量検出部５５２は、複数の室内機からの制御コマンドに対する各応答コマンドの波形特徴量を検出し、検出した波形特徴量と応答元の室内機を対応付けた波形特徴量データをメモリに保存する。判定部５５３は、波形特徴量データに基づいて、グループ設定が適正か否かを判定し、判定結果をディスプレイに表示する。【選択図】図４
2019002638.tif 000002
【特許請求の範囲】
【請求項１】
複数の室内機をグループ設定して共通の制御を行う空調リモコンから、通信により前記複数の室内機それぞれのアドレスを取得するアドレス取得手段と、
前記複数の室内機それぞれに対して予め定めた制御コマンドを送信するコマンド送信手段と、
前記複数の室内機からの前記制御コマンドに対する各応答コマンドの波形特徴量を検出し、検出した波形特徴量と応答元の室内機を対応付けた波形特徴量データをメモリに保存する波形特徴量検出手段と、
前記波形特徴量データに基づいて、前記グループ設定が適正か否かを判定し、判定結果をディスプレイに表示する判定手段と、を備える、グループ設定判定装置。
【請求項２】
前記波形特徴量には、波高値、サグ、立ち上がり時間及びパルス幅の内の少なくとも１つが含まれる、請求項１に記載のグループ設定判定装置。
【請求項３】
前記判定手段は、前記複数の室内機それぞれについて、当該室内機に対応する前記波形特徴量と、当該室内機を除く前記複数の室内機それぞれの前記波形特徴量との類似度を算出し、前記複数の室内機の内、予め定めた下限類似度より低い類似度の発生割合が、予め定めた上限割合を超えている室内機がある場合、前記グループ設定が適正でないと判定する、請求項１又は２に記載のグループ設定判定装置。
【請求項４】
前記判定手段は、前記類似度としてコサイン類似度を算出する、請求項１から３の何れか１項に記載のグループ設定判定装置。
【請求項５】
前記判定手段は、前記判定結果として、前記複数の室内機それぞれについて、前記グループ設定に適合するか否かを示す情報を前記ディスプレイに表示する、請求項１から４の何れか１項に記載のグループ設定判定装置。
【請求項６】
アドレス取得手段が、複数の室内機をグループ設定して共通の制御を行う空調リモコンから、通信により前記複数の室内機それぞれのアドレスを取得し、
コマンド送信手段が、前記複数の室内機それぞれに対して予め定めた制御コマンドを送信し、
波形特徴量検出手段が、前記複数の室内機からの前記制御コマンドに対する各応答コマンドの波形特徴量を検出し、検出した波形特徴量と応答元の室内機を対応付けた波形特徴量データをメモリに保存し、
判定手段が、前記波形特徴量データに基づいて、前記グループ設定が適正か否かを判定し、判定結果をディスプレイに表示する、グループ設定判定方法。
【請求項７】
コンピュータを、
複数の室内機をグループ設定して共通の制御を行う空調リモコンから、通信により前記複数の室内機それぞれのアドレスを取得するアドレス取得手段、
前記複数の室内機それぞれに対して予め定めた制御コマンドを送信するコマンド送信手段、
前記複数の室内機からの前記制御コマンドに対する各応答コマンドの波形特徴量を検出し、検出した波形特徴量と応答元の室内機を対応付けた波形特徴量データをメモリに保存する波形特徴量検出手段、
前記波形特徴量データに基づいて、前記グループ設定が適正か否かを判定し、判定結果をディスプレイに表示する判定手段、として機能させるためのプログラム。
【発明の詳細な説明】
【技術分野】
【０００１】
本発明は、室内機のグループ設定が適正か否かを判定するための技術に関する。
【背景技術】
【０００２】
オフィスビル等の建物において、１台の室外機から複数の室内機を制御可能なマルチエアコンシステムが広く採用されている。このマルチエアコンシステムでは、室外機と制御対象となる室内機とが冷媒配管及び空調制御用の通信線にて接続され、ユーザは、リモコンを介して所望の室内機を個別に操作することができ、また、グループ化された複数の室内機に対して共通の動作を一斉に指示することができる。
【０００３】
後者の操作を可能にするためには、施工時において、ユーザ（例えば、施工業者）は、リモコンを操作して、対象となる複数の室内機を予めグループ化しておく必要がある。詳細には、ユーザは、リモコンを操作して、対象となる複数の室内機それぞれの制御用のアドレスを１つのグループアドレスと対応付ける設定（以下、グループ設定という。）を行って、当該リモコンに予め登録する必要がある。
【０００４】
グループ設定は、上記のように手動で行うため、設置する室内機の総数が非常に多いと、作業負荷が増大してしまうという問題がある。
【０００５】
これに対し、室内機のグループ化の操作を容易にする観点から、特許文献１に開示される空調機システムでは、室外機が、グループ設定処理の開始から終了までの間、室内機を順次個別指定し、個別指定された室内機は電源ランプを点滅させる。ユーザは、点滅状態の室内機をグループに従属させるか否かをリモコンで選択することで、グループ設定を行うことができる。
【先行技術文献】
【特許文献】
【０００６】
【特許文献１】特開２０１２−１３７１９８号公報
【発明の概要】
【発明が解決しようとする課題】
【０００７】
しかしながら、上記の特許文献１の開示技術であっても、ユーザの操作が介在するため、設定ミスの発生は起こりえる。したがって、グループ設定が適正が否かを検証することが重要であるが、グループ設定の後、それが適正であったか否かを判定するための有意な技術の提案が未だなされていないのが実情である。
【０００８】
本発明は、上記実情を鑑みてなされたものであり、室内機のグループ設定が適正か否かをユーザに提示するグループ設定判定装置等を提供することを目的とする。
【課題を解決するための手段】
【０００９】
上記目的を達成するため、本発明に係るグループ設定判定装置は、
複数の室内機をグループ設定して共通の制御を行う空調リモコンから、通信により前記複数の室内機それぞれのアドレスを取得するアドレス取得手段と、
前記複数の室内機それぞれに対して予め定めた制御コマンドを送信するコマンド送信手段と、
前記複数の室内機からの前記制御コマンドに対する各応答コマンドの波形特徴量を検出し、検出した波形特徴量と応答元の室内機を対応付けた波形特徴量データをメモリに保存する波形特徴量検出手段と、
前記波形特徴量データに基づいて、前記グループ設定が適正か否かを判定し、判定結果をディスプレイに表示する判定手段と、を備える。
【発明の効果】
【００１０】
本発明によれば、ユーザは、室内機のグループ設定が適正か否かを容易に確認することが可能となる。
【図面の簡単な説明】
【００１１】
【図１】本発明の実施形態に係る空調システムの全体構成を示す図
【図２】本実施形態に係るリモコンの構成を示すブロック図
【図３】本実施形態に係るグループ設定判定装置の構成を示すブロック図
【図４】本実施形態に係るグループ設定判定装置が備える制御部の機能構成を示すブロック図
【図５】本実施形態における制御コマンドの波形例を示す図
【図６】本実施形態において検出する波形特徴量について説明するための図
【図７】本実施形態における波形特徴量データの内容の一例を示す図
【図８】本実施形態に係るグループ設定判定装置が表示する判定結果の一例を示す図
【図９】本実施形態に係るグループ設定判定装置が実行するグループ設定判定処理の手順を示すフローチャート
【発明を実施するための形態】
【００１２】
以下、本発明の実施形態について図面を参照して詳細に説明する。
【００１３】
図１は、本発明の実施形態に係る空調システム１の構成を示す図である。空調システム１は、例えば、オフィスビル等の建物の空調を行うシステムであり、図１に示すように、複数の室外機２（２ａ〜２ｃ）と、複数の室内機３（３ａ〜３ｘ）と、複数のリモコン４（４ａ〜４ｄ）と、グループ設定判定装置５を備える。
【００１４】
室外機２ａ〜２ｃと、室内機３ａ〜３ｘと、リモコン４ａ〜４ｃと、グループ設定判定装置５は、通信線６にバス接続され、室内機３ｓとリモコン４ｄは、通信線７を介して互いに通信可能に接続される。
【００１５】
室外機２ａと１２台の室内機３ａ〜３ｌと、室外機２ｂと６台の室内機３ｍ〜３ｒと、室外機２ｃと６台の室内機３ｓ〜３ｘとは、それぞれ、冷媒を循環させるための別個の冷媒配管に接続される。
【００１６】
リモコン４は、対応する空調対象エリアの空気状態（温度、湿度など）が、ユーザが所望する状態になるように、対応する室内機３の運転を制御する装置である。本実施形態では、リモコン４ａは、室内機３ａ〜３ｆに対応し、リモコン４ｂは、室内機３ｇ〜３ｌに対応し、リモコン４ｃは、室内機３ｍ〜３ｒに対応し、リモコン４ｄは、室内機３ｓ〜３ｘに対応する。
【００１７】
リモコン４は、図２に示すように、操作受付部４０と、ディスプレイ４１と、通信部４２と、データ記憶部４３と、制御部４４を備える。操作受付部４０は、押しボタン、タッチパネル、タッチパッド等の入力デバイスを備え、ユーザからの入力操作を受け付け、受け付けた入力操作に係る信号を制御部４４に送出する。
【００１８】
ディスプレイ４１は、有機ＥＬディスプレイ又は液晶ディスプレイ等であり、制御部４４の制御の下、ユーザ操作用の画面、監視画面等、対応する空調対象エリアの空調に関する様々な情報の表示を行う。
【００１９】
通信部４２は、空調制御用の通信線である通信線６を介して、対応する室外機２及び室内機３と通信するための第１通信インタフェースと、リモコン用の通信線である通信線７を介して対応する室内機３と通信するための第２通信インタフェースを備える。なお、通信部４２は、第１通信インタフェースと第２通信インタフェースの両方を必ずしも備える必要はなく、接続環境に応じて、何れか一方を備える構成であってもよい。
【００２０】
データ記憶部４３は、ＥＥＰＲＯＭ（Electrically Erasable Programmable Read-Only Memory）、フラッシュメモリ等の読み書き可能な不揮発性の半導体メモリで構成され、ユーザインタフェース用のプログラム、通信用のプログラム等の様々なプログラムと、これらのプログラムの実行時に使用されるデータを記憶する。
【００２１】
制御部４４は、ＣＰＵ（Central Processing Unit）、ＲＯＭ（Read Only Memory）、ＲＡＭ（Random Access Memory）等（何れも図示せず）を含んで構成され、当該リモコン４を統括制御する。
【００２２】
リモコン４は、対応する室内機３が設置される居室空間への出入口付近に設置される。リモコン４は、ユーザから空調に係る操作を受け付けると、当該操作に基づく制御コマンドを対応する室外機２及び室内機３に送信する。制御コマンドを受信した室外機２及び室内機３は、当該制御コマンドに基づいた運転を行う。即ち、室内機３は、受信した制御コマンドの内容に従って、運転の開始／停止の切り替え、冷房，暖房，除湿，送風等の運転モードの切り替え、設定温度，設定湿度、風量等の変更を行う。また、室外機２は、室内機３が上記の運転を行えるように、自機を構成する各部（圧縮器、凝縮器、膨張弁、蒸発器等）を動作させる。
【００２３】
リモコン４は、ユーザにより、特定の１台の室内機３を指定した操作が行われた場合、当該室内機３を示す機器アドレスが含まれた制御コマンドを送信する。この場合、当該機器アドレスの室内機３のみが、当該制御コマンドに基づいた運転を行い、室外機２は、当該室内機３が当該運転を行えるように、自機を構成する各部を動作させる。また、リモコン４は、ユーザにより、グループ指定での操作が行われた場合、グループアドレスが含まれた制御コマンドを送信する。この場合、当該リモコン４に対応する全ての室内機３が、当該制御コマンドに基づいた運転を行い、室外機２は、当該グループに対応する全ての室内機３が当該運転を行えるように、自機を構成する各部を動作させる。
【００２４】
なお、リモコン４ｄのように、通信線７を介して特定の室内機３（ここでは、室内機３ｓ）と接続する場合、制御コマンドは、当該室内機３を介して対応する室外機２及び他の室内機３へ送信される。この際、当該室内機３は、リモコン４からの制御コマンドを、リモコン通信用のプロトコルから空調機間通信用のプロトコルに則ったフレームに変換した後、対応する室外機２及び他の室内機３へ送信する。
【００２５】
リモコン４は、上記のように複数の室内機３に対して、共通の制御（以下、グループ制御という。）を行うことができる。このグループ制御を行うためには、ユーザは、リモコン４毎に、当該リモコン４を介して、予めグループ設定を行う必要がある。以下、グループ設定について説明する。
【００２６】
先ず、ユーザは、グループ設定をしたい空調対象エリアのリモコン４の設置場所に行き、操作受付部４０を操作して、グループ設定開始を入力する。すると、当該リモコン４の制御部４４は、図示しないグループ設定画面をディスプレイ４１に表示する。ユーザは、かかるグループ設定画面を介して、グループ化したい室内機３の機器アドレスを入力する。機器アドレスとは、各室内機３に割り振られた通信上のアドレスである。例えば、リモコン４ａが表示するグループ設定画面を介してグループ設定する場合、ユーザは、室内機３ａ〜３ｆの機器アドレスを入力する。
【００２７】
ユーザにより、グループ設定画面を介した操作が完了すると、制御部４４は、新たに割り振ったグループアドレスと、入力された複数の機器アドレスが含まれたグループ情報を生成し、データ記憶部４３に保存する。また、制御部４４は、グループ設定された各室内機３と、対応する室外機２に対して、グループ設定が行われたことを示す通知（以下、グループ設定通知）を発行する。グループ設定通知には、グループ情報が含まれる。
【００２８】
かかるグループ設定通知を受信した室内機３（例えば、室内機３ａ〜３ｆ）は、当該グループ設定通知に含まれるグループアドレスを自機が備えるメモリに保存する。また、かかるグループ設定通知を受信した室外機２（例えば、室外機２ａ）は、当該グループ設定通知に含まれるグループ情報を自機が備えるメモリに保存する。これにより、以後、当該リモコン４（例えば、リモコン４ａ）は、ユーザの操作に応じて、グループ設定した複数の室内機３（例えば、室内機３ａ〜３ｆ）に対して、グループ制御を行うことが可能となる。
【００２９】
なお、リモコン４ｄのように、通信線７を介して特定の室内機３（ここでは、室内機３ｓ）と接続する場合、上記のグループ設定通知は、当該室内機３を介して対応する室外機２及び他の室内機３へ送信される。この際、当該室内機３は、リモコン４からのグループ設定通知を、リモコン通信用のプロトコルから空調機間通信用のプロトコルに則ったフレームに変換した後、対応する室外機２及び他の室内機３へ送信する。
【００３０】
グループ設定判定装置５は、各リモコン４にてユーザが行ったグループ設定が適正か否かを判定し、判定した結果をユーザに提示する装置である。グループ設定判定装置５は、図３に示すように、操作受付部５０と、ディスプレイ５１と、通信部５２と、データ記憶部５３と、波形取得部５４と、制御部５５を備える。操作受付部５０は、キーボード、マウス、キーパッド、押しボタン、タッチパネル、タッチパッド等の入力デバイスを備え、ユーザからの入力操作を受け付け、受け付けた入力操作に係る信号を制御部５５に送出する。
【００３１】
ディスプレイ５１は、ＣＲＴディスプレイ、液晶ディスプレイ、有機ＥＬディスプレイ又はプラズマディスプレイ等であり、制御部５５の制御の下、グループ設定の適正判定に関する様々な情報を表示する。
【００３２】
通信部５２は、空調制御用の通信線である通信線６を介して、各室内機３及び各リモコン４と通信するための通信インタフェースを備える。なお、通信部５２は、通信線７に接続されるリモコン４（本実施形態では、リモコン４ｄ）については、当該リモコン４と接続する室内機３（本実施形態では、室内機３ｓ）を介して通信する。
【００３３】
データ記憶部５３は、ＥＥＰＲＯＭ（Electrically Erasable Programmable Read-Only Memory）若しくはフラッシュメモリ等の読み書き可能な不揮発性の半導体メモリ又はＨＤＤ（Hard Disk Drive）等で構成される。データ記憶部５３は、グループ設定の適正判定に係るプログラム（以下、グループ設定判定プログラムという。）と、グループ設定判定プログラムの実行時に使用されるデータを記憶する。
【００３４】
波形取得部５４は、各室内機３から通信部５２を介して受信した、空調制御に関する通信データ、詳細には、送信した制御コマンドに対する応答コマンドの波形データを取得する。波形取得部５４は、例えば、デジタルオシロスコープで構成される。波形取得部５４は、取得した波形データを制御部５５に出力する。
【００３５】
制御部５５は、ＣＰＵ、ＲＯＭ、ＲＡＭ等（何れも図示せず）を含んで構成され、当該グループ設定判定装置５を統括制御する。制御部５５は、機能的には、図４に示すように、グループ情報取得部５５０と、コマンド送信部５５１と、波形特徴量検出部５５２と、判定部５５３を備える。これらの機能部は、ＣＰＵがデータ記憶部５３に記憶されているグループ設定判定プログラムを実行することで実現される。
【００３６】
グループ情報取得部５５０は、本発明に係るアドレス取得手段の一例である。グループ情報取得部５５０は、ユーザから対象となるリモコン４の指定を受け付け、指定されたリモコン４からグループ情報を取得する。詳細には、グループ情報取得部５５０は、ユーザが指定したリモコン４に対して、グループ情報を要求するデータ（以下、グループ情報要求データという。）を通信部５２を介して送信する。かかるグループ情報要求データを受信したリモコン４は、データ記憶部４３に保存しているグループ情報を読み出す。そして、当該リモコン４は、読み出したグループ情報が格納された応答データを生成し、グループ設定判定装置５に送信する。
【００３７】
グループ情報取得部５５０は、上記の応答データが通信部５２によって受信されると、当該応答データからグループ情報を抽出して、データ記憶部５３又はＲＡＭに保存する。前述したように、グループ情報には、グループアドレスと、グループ化された複数の室内機３それぞれの機器アドレスが含まれる。
【００３８】
コマンド送信部５５１は、本発明に係るコマンド送信手段の一例である。コマンド送信部５５１は、取得したグループ情報に含まれる複数の機器アドレス宛てに、即ち、グループ設定された複数の室内機３に、予め定めた内容の制御コマンドを送信する。ここで送信する制御コマンドの内容は任意であるが、通常の稼働時間帯では、運転状態の取得等、運転状態が変更されない、即ち、空調が変化しない制御コマンドを送信するのが好ましい。
【００３９】
波形特徴量検出部５５２は、本発明に係る波形特徴量検出手段の一例である。波形特徴量検出部５５２は、波形取得部５４により取得された波形データ、即ち、上記の制御コマンドに対する室内機３からの応答コマンドの波形データから波形特徴量を検出する。空調システム１では、通信線６上において、空調制御に関する制御コマンドがシリアル通信される。例えば、図５の（ａ）〜（ｃ）のような方式により制御コマンドを符号化した通信信号が伝送される。本実施形態では、波形データ毎に検出される波形特徴量には、波高値［Ｖ］、サグ［Ｖ］、立ち上がり時間［μＳ］及びパルス幅［μＳ］が含まれる（図６参照）。この場合、波高値［Ｖ］、サグ［Ｖ］、立ち上がり時間［μＳ］及びパルス幅［μＳ］は、それぞれ、当該波形データにおける最小値であってもよいし、最大値であってもよいし、あるいは、平均値であってもよい。
【００４０】
波形特徴量検出部５５２は、検出した波形特徴量毎に、グループアドレスと、応答元の室内機３の機器アドレスを対応付けた波形特徴量データを生成し、メモリ（即ち、データ記憶部５３又はＲＡＭ）に保存する。図７に波形特徴量データの内容の一例を示す。
【００４１】
判定部５５３は、本発明に係る判定手段の一例である。判定部５５３は、波形特徴量データに基づいて、当該グループ情報を取得したリモコン４におけるユーザのグループ設定が適正か否かを判定する。詳細には、判定部５５３は、グループ設定された複数の室内機３、即ち、当該グループに属する複数の室内機３から順に１つの室内機３を選択する。そして、判定部５５３は、選択した室内機３に対応する波形特徴量（以下、比較元の波形特徴量という。）と、当該グループに属する他の室内機３それぞれの波形特徴量（以下、比較先の波形特徴量という。）との類似度を算出する。具体的には、下記の式１のように、コサイン類似度を用いて算出する。
【００４２】
【数１】
2019002638.tif 000003
【００４３】
上記の式１において、Ａ及びＢは、それぞれ比較元及び比較先の波形特徴量のベクトルであり、以下のように示される。
Ａ＝｛Ａ１（波高値）、Ａ２（サグ）、Ａ３（立ち上がり時間）、Ａ４（パルス幅）｝
Ｂ＝｛Ｂ１（波高値）、Ｂ２（サグ）、Ｂ３（立ち上がり時間）、Ｂ４（パルス幅）｝
【００４４】
判定部５５３は、当該グループに属する室内機３毎に、予め定めた下限類似度（例えば、０．８）より低い類似度の発生割合を検出し、検出した発生割合が予め定めた上限割合（例えば、０．５）を超えているか否かを判定する。そして、何れかの室内機３で、下限類似度より低い類似度の発生割合が上限割合を超えている場合、判定部５５３は、当該室内機３は当該グループに適合しないと判定し、その結果、当該グループ設定は適切でないと判定する。一方、何れの室内機３においても、下限閾値より低い類似度の発生割合が上限割合を超えていない場合、判定部５５３は、当該グループ設定は適切であると判定する。
【００４５】
判定部５５３は、判定した結果をディスプレイ５１に表示する。例えば、判定部５５３は、図８に示すように、室内機３毎に、算出した他の室内機３の波形特徴量との類似度と、当該グループに適合するか否かの判定結果を示す表をディスプレイ５１に表示する。ここで、全ての室内機３の判定結果が“○”の場合のみ、当該グループ設定は適切であると判定されたことを意味し、判定結果が“×”の室内機３がある場合、当該グループ設定は適切でないと判定されたことを意味する。
【００４６】
図８の例では、機器アドレスが“１５”の室内機３について、当該グループに適合しないと判定されたことを示している。
【００４７】
図９は、グループ設定判定装置５で実行されるグループ設定判定処理の手順を示すフローチャートである。このグループ設定判定処理は、ユーザの操作受付部５０を介した操作により、グループ設定判定プログラムの起動が指示されることで開始される。
【００４８】
グループ情報取得部５５０は、ユーザからリモコン４の指定を受け付ける（ステップＳ１０１）。詳細には、グループ情報取得部５５０は、ディスプレイ５１に、ユーザがリモコン４を指定するための画面（以下、リモコン指定画面という。）を表示する。かかるリモコン指定画面には、例えば、所望のリモコン４の機器アドレスを入力するためのアドレス入力フィールドが設けられている。あるいは、グループ設定判定装置５のデータ記憶部５３に予め保存されている、各リモコン４の機器アドレスをリモコン指定画面にてリスト表示して、ユーザに所望のリモコン４の機器アドレスを選択させるようにしてもよい。
【００４９】
さらには、グループ情報取得部５５０は、各リモコン４に予め付された名称をリモコン指定画面にてリスト表示して、ユーザに所望のリモコン４を選択させるようにしてもよい。この場合、グループ設定判定装置５のデータ記憶部５３には、各リモコン４の名称と機器アドレスを対応付けたテーブルが予め保存されているものとする。
【００５０】
ユーザによりリモコン４が指定されると、グループ情報取得部５５０は、通信により、指定されたリモコン４からグループ情報を取得する（ステップＳ１０２）。コマンド送信部５５１は、取得したグループ情報に基づき、グループ設定された複数の室内機３に、予め定めた内容の制御コマンドを送信する（ステップＳ１０３）。
【００５１】
波形取得部５４は、当該グループの各室内機３から受信した応答コマンドの波形データを取得する（ステップＳ１０４）。波形特徴量検出部５５２は、波形取得部５４により取得された各室内機３に対応する波形データから波形特徴量を検出する（ステップＳ１０５）。波形特徴量検出部５５２は、検出した波形特徴量毎に、グループアドレスと、応答元の室内機３の機器アドレスを対応付けた波形特徴量データを生成し、メモリ（即ち、データ記憶部５３又はＲＡＭ）に保存する（ステップＳ１０６）。
【００５２】
判定部５５３は、当該グループの各室内機３に対応する波形特徴量データに基づいて、上述したようにして当該リモコン４におけるユーザのグループ設定が適正か否かを判定する（ステップＳ１０７）。そして、判定部５５３は、判定結果をディスプレイ５１に表示する（ステップＳ１０８）。
【００５３】
以上説明したように、本発明の実施形態に係る空調システム１では、グループ設定判定装置５は、リモコン４から、ユーザのグループ設定に基づくグループ情報を取得し、かかるグループ情報に基づいて、グループ設定された各室内機３と通信することで、各室内機３に対応する波形特徴量を検出する。そして、グループ設定判定装置５は、各室内機３に対応する波形特徴量に基づいて、グループ設定が適正か否かを判定し、判定結果をディスプレイ５１に表示する。
【００５４】
このため、ユーザは、室内機のグループ設定が適正か否かを容易に確認することが可能となる。
【００５５】
なお、本発明は、上記実施形態に限定されず、本発明の要旨を逸脱しない範囲での種々の変更は勿論可能である。
【００５６】
例えば、上記実施形態では、グループ設定判定処理が開始されると、ユーザからリモコン４の指定を受け付けていたが、かかる指定は必ずしも必要ではない。例えば、グループ設定判定装置５は、全てのリモコン４について、図９のグループ設定判定処理を連続して行ってもよい。
【００５７】
また、波形特徴量検出部５５２は、波形特徴量として、必ずしも、波高値、サグ、立ち上がり時間及びパルス幅のすべてを検出する必要はなく、これらの内の少なくとも１つを検出すればよい。また、類似度の算出手法についても設計事項であり、周知の様々な手法から適宜選択され得る。
【００５８】
また、上記の実施形態では、グループ設定判定装置５において、制御部５５によってデータ記憶部５３に記憶されているグループ設定判定プログラムが実行されることで、制御部５５の各機能部（図４参照）が実現された。
【００５９】
しかし、グループ設定判定装置５の制御部５５の機能部の全部又は一部が、専用のハードウェアで実現されるようにしてもよい。専用のハードウェアとは、例えば、単一回路、複合回路、プログラム化されたプロセッサ、ＡＳＩＣ（Application Specific Integrated Circuit）、ＦＰＧＡ（Field-Programmable Gate Array）、又は、これらの組み合わせ等である。
【００６０】
また、上記実施形態において、グループ設定判定装置５の制御部５５によって実行されるグループ設定判定プログラムは、ＣＤ−ＲＯＭ（Compact Disc Read Only Memory）、ＤＶＤ（Digital Versatile Disc）、光磁気ディスク（Magneto-Optical Disc）、ＵＳＢ（Universal Serial Bus）メモリ、メモリカード、ＨＤＤ等のコンピュータ読み取り可能な記録媒体に格納して配布することも可能である。そして、このように配布したグループ設定判定プログラムを特定の又は汎用のコンピュータにインストールすることによって、当該コンピュータを上記の実施形態におけるグループ設定判定装置５として機能させることも可能である。
【００６１】
また、グループ設定判定プログラムをインターネット上の他のサーバが有するディスク装置等に格納しておき、当該サーバからグループ設定判定装置５にグループ設定判定プログラムがダウンロードされるようにしてもよい。
【００６２】
本発明は、広義の精神と範囲を逸脱することなく、様々な実施形態及び変形が可能である。また、上述した実施形態は、本発明を説明するためのものであり、本発明の範囲を限定するものではない。つまり、本発明の範囲は、実施形態ではなく、特許請求の範囲によって示される。そして、特許請求の範囲内及びそれと同等の発明の意義の範囲内で施される様々な変形が、本発明の範囲内とみなされる。
【符号の説明】
【００６３】
１  空調システム、２ａ〜２ｃ  室外機、３ａ〜３ｘ  室内機、４ａ〜４ｄ  リモコン、５  グループ設定判定装置、６，７  通信線、４０，５０  操作受付部、４１，５１  ディスプレイ、４２，５２  通信部、４３，５３  データ記憶部、４４，５５  制御部、５４  波形取得部、５５０  グループ情報取得部、５５１  コマンド送信部、５５２  波形特徴量検出部、５５３  判定部
【図１】
2019002638.tif 000004
【図２】
2019002638.tif 000005
【図３】
2019002638.tif 000006
【図４】
2019002638.tif 000007
【図５】
2019002638.tif 000008
【図６】
2019002638.tif 000009
【図７】
2019002638.tif 000010
【図８】
2019002638.tif 000011
【図９】
2019002638.tif 000012